(57)【特許請求の範囲】
【請求項１】
理美容室で毛髪処理を促進するための毛髪処理促進装置を運転するための施術メニュー、施術の処理方法および施術する毛髪の状態判断から薬剤メーカー各社の異なる薬剤の中から最適な薬剤の選択、該薬剤を使用した時の最適な処理手順や前記毛髪処理促進装置のヒータの温度や通電時間を制御するための薬剤メーカー各種の制御プログラムを理美容室からのアクセスが有ると送信する薬剤メーカー各社のウェブサイトのサーバと、
前記理美容室に設置されているコンピュータからアクセスすることで前記サーバに記憶されている前記制御プログラムを取り込み記憶する理美容室に設置されているコンピュータと、
前記理美容室のコンピュータで取り込んだ前記制御プログラムによって動作して毛髪処理を行う理美容室に設置された毛髪処理促進装置とを備え、
前記理美容室のコンピュータに記憶媒体をセットした状態において薬剤メーカーのウェブサイトのサーバに接続して施術メニューから最適な薬剤を選択して最適な処理手順やヒータの温度およびヒータへの通電時間である制御プログラムを前記記憶媒体に記憶させるステップと、
前記記憶媒体に記憶された前記制御プログラムを前記毛髪処理促進装置に読み込ませるとステップと、
前記読み込まれた前記制御プログラムに基づいて毛髪処理促進装置を制御するステップと、
によって毛髪処理を行うことを特徴とする毛髪処理促進方法。
【請求項２】
理美容室で毛髪処理を促進するための毛髪処理促進装置を運転するための施術メニュー、施術の処理方法および施術する毛髪の状態判断から薬剤メーカー各社の異なる薬剤の中から最適な薬剤の選択、該薬剤を使用した時の最適な処理手順や前記毛髪処理促進装置のヒータの温度や通電時間を制御するための薬剤メーカー各種の制御プログラムを理美容室からのアクセスが有ると送信する薬剤メーカー各社のウェブサイトのサーバと、
前記理美容室に設置されているコンピュータからアクセスすることで前記サーバに記憶されている前記制御プログラムを取り込み記憶する理美容室に設置されているコンピュータと、
前記理美容室のコンピュータで取り込んだ前記制御プログラムによって動作して毛髪処理を行う理美容室に設置された毛髪処理促進装置とより構成した毛髪処理促進システムであって、
前記理美容室に設置されているコンピュータから前記毛髪処理促進装置に前記制御プログラムをＬＡＮ接続によって転送することを特徴とする毛髪処理促進システム。
【請求項３】
理美容室で毛髪処理を促進するための毛髪処理促進装置を運転するための施術メニュー、施術の処理方法および施術する毛髪の状態判断から薬剤メーカー各社の異なる薬剤の中から最適な薬剤の選択、該薬剤を使用した時の最適な処理手順や前記毛髪処理促進装置のヒータの温度や通電時間を制御するための薬剤メーカー各社の制御プログラムを理美容室からのアクセスが有ると送信する薬剤メーカー各社のウェブサイトのサーバと、
理美容室に設置され前記サーバにアクセスすることで前記サーバに記憶されている前記制御プログラムを取り込み記憶するＣＰＵを有し、該記憶された制御プログラムによって動作して毛髪処理を行う理美容室に設置された毛髪処理促進装置と、
より構成したことを特徴とする毛髪処理促進システム。
【発明の詳細な説明】
【０００１】
【発明の属する技術分野】
本発明は理美容院において、毛髪の乾燥、染色、パーマネントのウェーブ化およびトリートメント等の施術を行う際に使用する毛髪処理促進装置に、前記施術する技術および毛髪の状態に最適な薬剤と施術温度や時間を決定する制御プログラムを、該薬剤を製造している医薬会社等のウェブサイトにアクセスし、該制御プログラムを取り込み、前記施術および促進を行うための毛髪処理促進装置に転送する等して、最適な施術や促進が行えるようにした毛髪処理促進方法およびシステムに関する。
【０００２】
【従来の技術】
毛髪処理促進装置は、ヒータから遠赤外線を発生させ、毛髪に照射して加温することで薬剤の毛髪への化学反応処理を最適化させるものであるが、毛髪処理促進装置を運転する場合には、施術する技術や顧客の毛髪状態に最適な薬剤を選定した上で、運転条件( 温度、時間等) を設定し運転を行う必要がある。
【０００３】
そして、前記施術に最適な運転条件を設定する従来の方法としては、例えば、施術者が顧客の毛髪の状態を経験や勘で判断し、使用する薬剤に合った最適な条件を毛髪処理促進装置に形成されている操作パネルをマニュアルで操作して設定していた。
【０００４】
【発明が解決しようとする課題】
ところで、パーマやヘアカラーの普及にともない、薬剤や技術の進化するスピードは早くなり、新しいパーマ剤やカラー剤が次々と多数のメーカーから販売され、また、それに伴って新しい技術メニューも増え続けている。そのため、毛髪処理促進装置を使用する時、それらの新しい多種多様な技術メニューや薬剤に対応した運転条件を設定する必要があり、正確にそれらの運転条件の値を決定することは非常に困難になっているという問題があった。
【０００５】
本発明は前記した問題点を解決せんとするもので、その目的とするところは、毛髪の施術する際に施術する技術および毛髪の状態に最適な薬剤と施術温度や時間を決定する制御プログラムを医薬会社等が運営するウェブサイトから取り込み、前記制御プログラムによって毛髪処理促進装置を最適に設定して処理を行うことにより、施術者の経験や勘に頼らず最適な毛髪処理が行える毛髪処理促進方法およびシステムを提供せんとするにある。
【０００６】
【課題を解決するための手段】
本発明の毛髪処理促進方法は前記した目的を達成せんとするもので、その手段は、理美容室で毛髪処理を促進するための毛髪処理促進装置を運転するための施術メニュー、施術の処理方法および施術する毛髪の状態判断から薬剤メーカー各社の異なる薬剤の中から最適な薬剤の選択、該薬剤を使用した時の最適な処理手順や前記毛髪処理促進装置のヒータの温度や通電時間を制御するための薬剤メーカー各種の制御プログラムを理美容室からのアクセスが有ると送信する薬剤メーカー各社のウェブサイトのサーバと、前記理美容室に設置されているコンピュータからアクセスすることで前記サーバに記憶されている前記制御プログラムを取り込み記憶する理美容室に設置されているコンピュータと、前記理美容室のコンピュータで取り込んだ前記制御プログラムによって動作して毛髪処理を行う理美容室に設置された毛髪処理促進装置とを備え、前記理美容室のコンピュータに記憶媒体をセットした状態において薬剤メーカーのウェブサイトのサーバに接続して施術メニューから最適な薬剤を選択して最適な処理手順やヒータの温度およびヒータへの通電時間である制御プログラムを前記記憶媒体に記憶させるステップと、前記記憶媒体に記憶された前記制御プログラムを前記毛髪処理促進装置に読み込ませるとステップと、前記読み込まれた前記制御プログラムに基づいて毛髪処理促進装置を制御するステップとによって毛髪処理を行うことを特徴とする。
【０００７】
本発明の毛髪処理促進システムにおける請求項２の手段は、理美容室で毛髪処理を促進するための毛髪処理促進装置を運転するための施術メニュー、施術の処理方法および施術する毛髪の状態判断から薬剤メーカー各社の異なる薬剤の中から最適な薬剤の選択、該薬剤を使用した時の最適な処理手順や前記毛髪処理促進装置のヒータの温度や通電時間を制御するための薬剤メーカー各種の制御プログラムを理美容室からのアクセスが有ると送信する薬剤メーカー各社のウェブサイトのサーバと、前記理美容室に設置されているコンピュータからアクセスすることで前記サーバに記憶されている前記制御プログラムを取り込み記憶する理美容室に設置されているコンピュータと、前記理美容室のコンピュータで取り込んだ前記制御プログラムによって動作して毛髪処理を行う理美容室に設置された毛髪処理促進装置とより構成した毛髪処理促進システムであって、前記理美容室に設置されているコンピュータから前記毛髪処理促進装置に前記制御プログラムをＬＡＮ接続によって転送することを特徴とする。
【０００８】
本発明の毛髪処理促進システムにおける請求項３の手段は、理美容室で毛髪処理を促進するための毛髪処理促進装置を運転するための施術メニュー、施術の処理方法および施術する毛髪の状態判断から薬剤メーカー各社の異なる薬剤の中から最適な薬剤の選択、該薬剤を使用した時の最適な処理手順や前記毛髪処理促進装置のヒータの温度や通電時間を制御するための薬剤メーカー各社の制御プログラムを理美容室からのアクセスが有ると送信する薬剤メーカー各社のウェブサイトのサーバと、理美容室に設置され前記サーバにアクセスすることで前記サーバに記憶されている前記制御プログラムを取り込み記憶するＣＰＵを有し、該記憶された制御プログラムによって動作して毛髪処理を行う理美容室に設置された毛髪処理促進装置とより構成したことを特徴とする。
【０００９】
【発明の実施の形態】
以下、本発明に係る毛髪処理促進システムの第１の実施の形態を図面と共に説明する。図１は本発明の毛髪処理促進システムの概略を示し、１は毛髪処理を行うための薬剤を製造する薬剤メーカーが所有するコンピュータにして、随時新しい薬剤、技術メニューに対応した制御プログラムをインターネットを介して、あるいは、オンラインによって後述するウェブサイトのサーバに送信する。
【００１０】
２は薬剤メーカー各社のコンピュータから送信される薬剤、技術メニューに対応した制御プログラムを記憶し、該制御プログラムと後述する毛髪処理促進装置を運転する制御プラグラムを後述する理美容室からのアクセスが有ると送信するウェブサイトのサーバ、３１，３２〜３ｎは理美容室が所有するコンピュータにして、インターネットを介して、あるいは、オンラインによってウェブサイトのサーバにアクセスすると前記制御プログラムをダウンロードすることが可能となる。
【００１１】
４は前記各理美容室が所有する毛髪処理促進装置にして、リング状のヒータ４１から遠赤外線を発生すると共にヒータ部分が内蔵モータによって回転することにより被施術者の毛髪全面に照射して加温することで毛髪への化学反応処理を最適化させるものである。そして、この毛髪処理促進装置には記憶媒体読取装置４２が装備されると共に液晶表示器４３および後述する毛髪診断時に入力するためのキー入力装置４４が設けられている。
【００１２】
５は前記理美容院のコンピュータ３１に設けられている記憶媒体記憶装置（図示せず）に差し込んで、前記ウェブサイトのサーバ２よりの制御プログラムを記憶するメモリーカードやメモリーステック等の記憶媒体にして、この記憶媒体５を前記毛髪処理促進装置４の記憶媒体読取装置４２に差し込むことにより、毛髪処理促進装置を常に最適に設定することができるため、施術者の経験や勘に頼らず最適な毛髪促進処理が行える。
【００１３】
次に、毛髪処理促進装置４のシステムを図３のシステムブロック図と共に説明する。なお、前記した図１と同一符号は同一部分を示し説明は省略する。
４５は毛髪処理促進装置４に取付けられ被施術者の後頭部の温度を計測する温度センサ、４６は後頭部、特に襟首部分の加熱上昇を防止するためのファン、４７は前記ヒータ４１を被施術者の頭部全面を均一に照射するために回転させるためのモータである。
【００１４】
４８ａはＣＰＵ、４８ｂ，４８ｃは該ＣＰＵに接続されたＲＯＭとＲＡＭ、４８ｄは記憶媒体読取装置４２によって読み取った制御プログラムを前記ＣＰＵ４８ａに入出力インターフェイス回路４８ｅを介して入力するための記憶媒体入力制御回路、４８ｆは液晶表示器４３を制御するための液晶制御回路、４８ｇは前記ヒータ４１、ファン４６およびモータ４７を制御するための運転制御回路である。
【００１５】
次に、前記した構成に基づいて動作を図４のフローチャートと共に説明する。
先ず、前もって記憶媒体５をコンピュータ３１にセットして、インターネットあるいはオンラインによってウェブサイトのサーバ２に接続して、新規に開発された薬剤が販売されると、該薬剤の制御プログラムが追加され前記記憶媒体５に記憶される。
【００１６】
ここで、制御プログラムの内容としては、どのような種類の施術メニューなのか、施術する毛髪の状態判断、その結果として最適な薬剤の提示などから前記薬剤を使用した時の最適な処理手順やヒータ４１の温度およびヒータへの通電時間である。
【００１７】
このように各種の施術メニューの制御プログラムが記憶されている記憶媒体５を毛髪処理促進装置４の記憶媒体読取装置４２にセットした後に、液晶表示器４３を駆動すると、予めＲＯＭ４８ｂに登録されている起動プログラムが起動し、ＣＰＵ４８ａは記憶媒体５の中にある制御プログラムを記憶媒体入力制御回路４８ｄを介して読み込み、図５（ａ）に示す施術メニューの選択画面を読み出して表示する（ステップＳ１）。この施術メニューから、例えば、アルカリカラーをキー入力装置４４によって選択する（ステップＳ２）。
【００１８】
前記アルカリカラーが選択されると、図５（ｂ）に示す該アルカリカラーの染め方の画面が表示されるので、その中から前記したと同様にキー入力装置４４によって、例えば、おしゃれ染めを選択すると、図５（ｃ）に示す毛髪の状態の選択画面が表示される。
【００１９】
そこで、染毛歴、毛髪の長さ、明度（トーン）、毛質、損傷等が表示され（ステップＳ３）、さらに、図５（ｄ）に示す希望する明度と色合い画面が表示されるので、顧客の毛髪が何れに該当するのか、また、顧客の希望する明るさと色合いを開き、施術者がキー入力装置４４によって選択する（ステップＳ４）。
【００２０】
ここで、全てのチェック項目の入力が終了するとＲＡＭ４８ｃに記憶されると同時に制御プログラムが、前記ＲＡＭ４８ｃに記憶された情報を判断した上で（ステップＳ５）、図５（ｅ）に示される最適であると思われる薬剤および運転条件（処理する部位の手順、それぞれの設定温度、それぞれの設定時間）を液晶表示器４３に表示する（ステップＳ６）。
【００２１】
そこで、施術者は被施術者の毛髪に対して前記液晶表示器４３において表示された最適な薬剤で、最初の手順１の毛髪の中間部と毛先部に処理を行った後に、前記液晶表示器４３に表示されている運転スタートしますかの表示において「はい」を選択しキー入力装置４４に入力すると（ステップＳ７）、ＣＰＵ４８ａを介して運転制御回路４８ｇにデータが送られ、ヒータ４１に通電を開始した後に温度制御（中間および毛先の温度と時間）を開始する。なお、この温度制御は前記温度センサ４５によって監視される。
【００２２】
次いで、液晶表示器４３には図５（ｆ）に示す運転中の画面が表示され（ステップＳ８）、すなわち、前記液晶表示器４３において選択した選択条件、薬剤の種類および温度制御の条件が表示される。そして、前記温度制御による毛髪の促進処理が終了すると、ヒータ４１、ファン４６およびモータ４７への通電が遮断され運転は終了する（ステップＳ９）。
【００２３】
そして、手順１の運転が終了すると液晶表示器４３には図５（ｇ）が表示され、次いで、図５（ｈ）が表示されるので、前記したと同様な手順２によって毛髪の根元部の処理を行い、運転をスタートし所定時間運転して全ては終了する（ステップＳ１０）。この時、液晶表示器４３には図５（ｉ）が表示され全ての施術が終了したことを知らせる。
【００２４】
また、前記した実施の形態にあっては、制御プログラムはコンピュータ３１に装着した記憶媒体５を毛髪処理促進装置４に装着することで、該毛髪処理促進装置を制御する場合について説明したが、その外に、コンピュータ３１のデータを無線ＬＡＮによって毛髪処理促進装置４に組み込まれたコンピュータによって記憶してもよい。
【００２５】
また、毛髪処理促進装置４のコンピュータによって無線ＬＡＮによって直接、ウェブサイトのサーバ２に通信して記憶してもよく、さらに、コンピュータ３１をディスクトップに変えて携帯端末機（ノートタイプのコンピュータや携帯電話等）としてもよい。
【００２６】
【発明の効果】
本発明は前記したように、毛髪を施術する際に、施術する技術および毛髪の状態に最適な薬剤と施術温度や時間を決定する制御プログラムが記憶されている医薬会社等が運営するウェブサイトに、理美容院に設置されているコンピュータからアクセスし、前記制御プログラムを取り込み毛髪処理促進装置に転送することにより該毛髪処理促進装置を制御するようにしたので、新しく開発された薬剤のみならず、施術メニューも取り込むことができるため、それぞれの理美容室で必要な施術メニューに対する最適な薬剤の決定と、その薬剤に対する毛髪処理促進装置の最適な加熱温度と時間を取り込むことができ、従って、パーマやヘアカラーの施術において、施術者の技術レベルに関係なく毛髪処理促進装置を用いた施術を失敗することなく行える等の効果を有するものである。
【図面の簡単な説明】
【図１】本発明に係る毛髪処理促進システムの概略を示す説明図である。
【図２】毛髪処理促進装置の斜視図である。
【図３】毛髪処理促進装置に組み込まれたシステムブロック図である。
【図４】動作を説明するためのフローチャートである。
【図５】毛髪処理促進装置における液晶表示器に表示される施術メニュー、毛髪処理診断画面および診断の結果による薬剤や施術温度、施術時間画面である。
【符号の説明】
１          薬品メーカが所有するコンピュータ
２          ウェブサイトのサーバ
３１〜３ｎ  理美容室が所有するコンピュータ
４          毛髪処理促進装置
５          記憶媒体
【図１】
0004303911.tif 000002
【図２】
0004303911.tif 000003
【図３】
0004303911.tif 000004
【図４】
0004303911.tif 000005
【図５】
0004303911.tif 000006